(57)【要約】【課題】低土圧と十分な透水性を確保することにより、住宅造成地などにおける豪雨・地震時の法面崩壊や土砂崩れを効果的に抑制することができる破砕ゴム片を用いた斜面造成地工法を提供する。【解決手段】住宅造成地の法面に、破砕ゴム片層１を配設し、その上に汎用地盤材からなる覆土帽子層３を配設する。【選択図】図１
2008025230.tif 000002
【特許請求の範囲】
【請求項１】
住宅造成地の法面に、破砕ゴム片層を配設し、その上に汎用地盤材からなる覆土帽子層を配設することを特徴とする破砕ゴム片を用いた斜面造成地工法。
【請求項２】
前記破砕ゴム片層および前記覆土帽子層を、住宅造成地の法面側の、構造荷重がかからない土地利用部分に配設する請求項１記載の斜面造成地工法。
【請求項３】
前記覆土帽子層の厚さを０．３〜２ｍとする請求項１または２記載の斜面造成地工法。
【請求項４】
前記破砕ゴム片層の厚さを０．３〜２ｍとする請求項１〜３のうちいずれか一項記載の斜面造成地工法。
【請求項５】
前記破砕ゴム片層と締め固め用の汎用地盤層とを交互に配設する請求項１〜４のうちいずれか一項記載の斜面造成地工法。
【請求項６】
前記締め固め用の汎用地盤層の厚さを１０〜５０ｃｍとする請求項５記載の斜面造成地工法。
【発明の詳細な説明】
【技術分野】
【０００１】
本発明は、破砕ゴム片を用いた斜面造成地工法に関し、詳しくは、住宅造成地等で大雨、地震等の災害に強い、廃タイヤを切片状に切断破砕したタイヤ破砕ゴム片（タイヤシュレッズ）を用いた斜面造成地工法に関する。
【背景技術】
【０００２】
従来、宅地造成法面では、造成地構成材料として現場発生土または砂礫、土などの汎用の地盤材料が使用されている。一方、廃タイヤを切片状に切断破砕したタイヤ破砕ゴム片を盛土等の軽量地盤材・路床として使用することは一般に行われており、例えば、米国では、破砕ゴム片を軽量土として盛土材料、或いは路床材として使用するに際し、破砕ゴム片を１ｍ厚施工ごとに土を３０ｃｍ被覆するなどの施工法が採用されている。
【０００３】
また、特許文献１では、使用済みのゴムタイヤ等を切片状に切断破砕することによって建築用骨材として利用する路盤及び基礎地盤の造成方法が報告されている。
【特許文献１】特開平６−１２３１０１号公報（第１頁、図１）
【発明の開示】
【発明が解決しようとする課題】
【０００４】
しかしながら、造成地構成材料として現場発生土または砂礫、土などの汎用の地盤材料を用いた場合、地盤材自体の密度が高いために土圧が高くなる、透水性が十分でないために大雨時に土砂崩れの発生がある、地震時に液状化等が発生し、法面崩壊を起こすおそれがある、等の問題があり、特に阪神大震災時の宝塚市の住宅造成地では実際にそのようなことが起こり大きな問題ともなった。
【０００５】
また、タイヤ破砕ゴム片を造成地構成材料として用いると、タイヤ破砕ゴム片層の圧縮沈下が収まるまでに長い日数が必要となり、その間、住宅などの構造物の建築ができず、よって、これまではタイヤ破砕ゴム片を造成地構成材料の基礎として用いることはなかった。
【０００６】
そこで本発明の目的は、上記の課題を解決し、低土圧と十分な透水性を確保することにより、住宅造成地などにおける豪雨・地震時の法面崩壊や土砂崩れを効果的に抑制することができる破砕ゴム片を用いた斜面造成地工法を提供することにある。
【課題を解決するための手段】
【０００７】
本発明者らは上記課題を解決するために鋭意検討した結果、一定厚の破砕ゴム片層と土等の汎用地盤材層とを所定の条件下で施工することにより上記目的を達成し得ることを見出し、本発明を完成するに至った。
【０００８】
即ち、本発明の、破砕ゴム片を用いた斜面造成地工法は、住宅造成地の法面に、破砕ゴム片層を配設し、その上に汎用地盤材からなる覆土帽子層を配設することを特徴とするものである。
【０００９】
本発明の破砕ゴム片を用いた斜面造成地工法においては、前記破砕ゴム片層および前記覆土帽子層を、住宅造成地の法面側の、構造荷重がかからない土地利用部分に配設することが好ましい。また、前記覆土帽子層の厚さを、好ましくは０．３〜２ｍとし、前記破砕ゴム片層の厚さを、好ましくは０．３〜２ｍとする。さらに、前記破砕ゴム片層と締め固め用の汎用地盤層とを交互に配設することも好ましく、この際、前記締め固め用の汎用地盤層の厚さを、好ましくは１０〜５０ｃｍとする。
【発明の効果】
【００１０】
本発明の破砕ゴム片を用いた斜面造成地工法によれば、住宅造成地の法面に一定厚の破砕ゴム片層と土等の汎用地盤材層を埋設することで、低土圧と透水性に優れた造成地を得ることができ、豪雨、地震時の法面崩壊と土砂崩れを効果的に抑制することができる。
【発明を実施するための最良の形態】
【００１１】
以下に、図面を参照して本発明の実施の形態について説明する。
図１に示す本発明の好適実施形態に係る破砕ゴム片を用いた斜面造成地工法は、住宅造成地の法面に、破砕ゴム片層１と、汎用地盤層４とを交互に配設し、最上層として汎用地盤材、好ましくは高密度の汎用地盤材からなる覆土帽子層３を配設するものである。かかる工法を用いることにより、低土圧と透水性に優れた造成地を得ることができ、豪雨、地震時の法面崩壊と土砂崩れを効果的に抑制することができる。
【００１２】
破砕ゴム片層１は、タイヤシュレッズ、タイヤチップ等と呼ばれる廃タイヤチップ破砕品を主な材料とする。破砕ゴム片層１に用いられる破砕ゴム片２は、廃タイヤを機械的な処理により破砕したもので、廃タイヤの種類は、トラックバス用タイヤ、乗用車用タイヤ、オフロード用タイヤなど、いずれの種類のタイヤでもよく、また、その性状としては、ランダム破砕品、カット品、例えば、１／１６カット品、１／３２カット品、扇形カット品など、いずれの性状であってもよい。さらに、破砕ゴム片２のサイズは、長径が略１０〜３００ｍｍ、好ましくは２０〜１５０ｍｍ、更に好ましくは３０〜１００ｍｍである。
【００１３】
一般的なスチールコード混じりの破砕ゴム片２は平均的な真比重が１．２〜１．３であり、土砂等の汎用地盤の真比重が約２．６〜２．８であるのに比べて真比重が大幅に小さい。また、粗粒分が多く細粒分が少ない粒度分布を有し、破砕ゴム片２間には多くの空隙が存在するため、施工後の破砕ゴム片層の実質的な比重（実効密度）は０．５〜０．８程度と更に小さくなる。よって、破砕ゴム片２を住宅造成地Ａの法面側ａに埋設することで、法面土圧における極めて大きな低減効果が得られる。
【００１４】
破砕ゴム片層１の一層あたりの厚さは、好ましくは０．３〜２ｍ、より好ましくは０．５〜１ｍである。また、破砕ゴム片層１の幅および奥行きについては特に制限はなく、造成地に応じ適宜定めればよい。
【００１５】
粗粒分が多く細粒分が少ない粒度分布を有する破砕ゴム片２からなる破砕ゴム片層１は、既存の透水材である砕石と同等以上の極めて高い透水性を有する。そのことにより、造成地Ａの法面側ａに、破砕ゴム片２からなる破砕ゴム片層１を埋設し、その上に覆土帽子層３を形成することで、破砕ゴム片２特有の低土圧と透水性が良好に作用し、豪雨・地震時の法面崩壊、土砂崩れを抑制することができる。
【００１６】
本発明の破砕ゴム片を用いた斜面造成地工法においては、破砕ゴム片層１と締め固め用の汎用地盤層４を交互に配設し、最上層として覆土帽子層３を配設する。破砕ゴム片層１および汎用地盤層４は複数配設されていてもよく、破砕ゴム片層１を０．３〜２ｍ厚施工ごとに汎用地盤層４を被覆することが好ましい。汎用地盤層４の厚さは、好ましくは１０〜５０ｃｍ、より好ましくは２０〜３０ｃｍである。破砕ゴム片層１と締め固め用の汎用地盤層４を交互に配設することで、より強固な地盤が得られ、法面の安定性が確保される。なお、汎用地盤層４に用いる材質は透水性の良いものであればよく、砂礫、土、砕石、現場発生土等特に制限されるものではない。
【００１７】
また、本発明の破砕ゴム片を用いた斜面造成地工法による施工に際して、破砕ゴム片層１、汎用地盤層４および覆土帽子層３を、住宅造成地Ａの法面側ａおよび庭、物置等の構造荷重が比較的かからない土地利用部分に配設することが好ましい。破砕ゴム片層１は施工後の沈下が大きい傾向にあり、地下に破砕ゴム片層１が配設された基礎の部分に住宅等の構造物を建築する場合、沈下の安定を待たなければならない。よって、早期に造成地の利用を可能にするために、家屋等の構造物の建設する基礎の部分は汎用の地盤材を用いることが好ましい。
【００１８】
本発明の破砕ゴム片を用いた斜面造成地工法の他の好適例として、図２に示すように、一定厚の破砕ゴム片層１を施工後、充分な密度を有する土などの高密度汎用地盤材の層を被せ、覆土帽子層３を形成して、法面を造成する。静圧として被覆する覆土帽子層３の厚みは、好ましくは０．３〜２ｍ、より好ましくは０．５〜１ｍである。なお、覆土帽子層３の材質は砂、土、礫、現場発生土等からなり、ある程度の透水性を有するものが好ましい。また、植生に適したものであってもよい。
【実施例】
【００１９】
以下、破砕ゴム片層の圧縮率と透水係数との関係および圧縮率と圧縮荷重との関係につき試験した結果を図３及び図４に夫々示す。図３のグラフから分かるように、本発明に係る破砕ゴム片層は圧縮率が上昇しても透水係数は殆ど変動しないことが分かる。また、図４に示すグラフより、ゴムチップスの破砕ゴム片層では圧縮率と圧縮荷重とはほぼ比例関係にあるが、砂の層の場合には圧縮率が１５％を超えた時点でせん断破壊が発生している。以上の結果から、本発明の工法を用いることにより、低土圧と透水性に優れた造成地を得ることができ、豪雨、地震時の法面崩壊と土砂崩れを効果的に抑制することができることが分かる。
【図面の簡単な説明】
【００２０】
【図１】本発明の好適実施形態に係る破砕ゴム片を用いた斜面造成地工法により造成された住宅造成地の断面図である。
【図２】本発明の他の好適実施形態に係る破砕ゴム片を用いた斜面造成地工法により造成された住宅造成地の断面図である。
【図３】本発明の破砕ゴム片を用いた斜面造成地工法に使用される破砕ゴム片の圧縮率と透水係数との関係を示すグラフである。
【図４】本発明の破砕ゴム片を用いた斜面造成地工法に使用される破砕ゴム片の圧縮率と透水荷重との関係を示すグラフである。
【符号の説明】
【００２１】
１  破砕ゴム片層
２  破砕ゴム片
３  覆土帽子層
４  汎用地盤層
Ａ  住宅造成地
ａ  法面側
【図１】
2008025230.tif 000003
【図２】
2008025230.tif 000004
【図３】
2008025230.tif 000005
【図４】
2008025230.tif 000006